【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
複数のインジェクタが取付けられる外管と、
前記外管の内側に配置され前記外管の長手方向と同方向に延びており長手方向の少なくとも一端に開放端を備える内管と、
前記内管の放射音を低減する放射音低減部材と、
を有するデリパリパイプ。
【請求項２】
前記放射音低減部材は前記内管に設けられたメッシュ部材である請求項１記載のデリバリパイプ。
【請求項３】
前記放射音低減部材は前記内管に設けられた多孔質部材である請求項１記載のデリバリパイプ。
【請求項４】
前記放射音低減部材は前記内管に設けられた制振部材である請求項１記載のデリバリパイプ。
【請求項５】
前記放射音低減部材は前記内管に設けられた弾性部材である請求項１記載のデリバリパイプ。
【請求項６】
前記放射音低減部材は前記内管内に圧入されている請求項１〜請求項３または請求項５記載のデリバリパイプ。
【請求項７】
前記放射音低減部材は前記内管内に固定されている請求項１〜請求項５記載のデリバリパイプ。
【請求項８】
前記放射音低減部材は前記内管内にハーネスを通すことからなる請求項１記載のデリバリパイプ。
【請求項９】
前記放射音低減部材は前記内管の内部通路の全体を覆っている請求項２または請求項３記載のデリバリパイプ。
【請求項１０】
前記放射音低減部材は前記内管の内部通路の一部のみを覆っている請求項２または請求項３記載のデリバリパイプ。
【請求項１１】
前記放射音低減部材は前記内管の内面の全周にわたって設けられている請求項４または請求項５記載のデリバリパイプ。
【請求項１２】
前記放射音低減部材は前記内管の内面の周方向の一部にのみ設けられている請求項４または請求項５記載のデリバリパイプ。
【請求項１３】
前記放射音低減部材は前記内管の開放端部にのみ配置されている請求項２〜請求項５記載のデリバリパイプ。
【請求項１４】
前記放射音低減部材は前記内管の軸方向中間部にのみ設けられている請求項２〜請求項５記載のデリバリパイプ。
【請求項１５】
前記放射音低減部材は前記内管の内壁面に接着されている請求項２または請求項３または請求項５記載のデリバリパイプ。
【請求項１６】
前記制振部材は前記内管の内壁面に貼り付けられる制振シートからなる請求項４記載のデリバリパイプ。
【請求項１７】
前記制振部材は前記内管の内壁面に塗布される制振塗料からなる請求項４記載のデリバリパイプ。
【請求項１８】
前記内管は前記インジェクタ側に延びる枝管を備えており、
前記ハーネスは、デリバリパイプの外部から前記内管の開放端を通って前記内管内に入り前記枝管部位で前記インジェクタ側に折れ曲り前記枝管を通って前記インジェクタまで延びている、請求項８記載のデリバリパイプ。
【手続補正２】
【補正対象書類名】明細書
【補正対象項目名】０００５
【補正方法】変更
【補正の内容】
【０００５】
上記目的を達成する本発明はつぎの通りである。
（１）  複数のインジェクタが取付けられる外管と、
前記外管の内側に配置され前記外管の長手方向と同方向に延びており長手方向の少なくとも一端に開放端を備える内管と、
前記内管の放射音を低減する放射音低減部材と、
を有するデリパリパイプ。
（２）  前記放射音低減部材は前記内管に設けられたメッシュ部材である（１）記載のデリバリパイプ。
（３）  前記放射音低減部材は前記内管に設けられた多孔質部材である（１）記載のデリバリパイプ。
（４）  前記放射音低減部材は前記内管に設けられた制振部材である（１）記載のデリバリパイプ。
（５）  前記放射音低減部材は前記内管に設けられた弾性部材である（１）記載のデリバリパイプ。
（６）  前記放射音低減部材は前記内管内に圧入されている（１）〜（３）または（５）記載のデリバリパイプ。
（７）  前記放射音低減部材は前記内管内に固定されている（１）〜（５）記載のデリバリパイプ。
（８）  前記放射音低減部材は前記内管内にハーネスを通すことからなる（１）記載のデリバリパイプ。
（９） 前記放射音低減部材は前記内管の内部通路の全体を覆っている（２）または（３）記載のデリバリパイプ。
（１０） 前記放射音低減部材は前記内管の内部通路の一部のみを覆っている（２）または（３）記載のデリバリパイプ。
（１１） 前記放射音低減部材は前記内管の内面の全周にわたって設けられている（４）または（５）記載のデリバリパイプ。
（１２） 前記放射音低減部材は前記内管の内面の周方向の一部にのみ設けられている（４）または（５）記載のデリバリパイプ。
（１３） 前記放射音低減部材は前記内管の開放端部にのみ配置されている（２）〜（５）記載のデリバリパイプ。
（１４）  前記放射音低減部材は前記内管の軸方向中間部にのみ設けられている（２）〜（５）記載のデリバリパイプ。
（１５） 前記放射音低減部材は前記内管の内壁面に接着されている（２）または（３）または（５）記載のデリバリパイプ。
（１６） 前記制振部材は前記内管の内壁面に貼り付けられる制振シートからなる（４）記載のデリバリパイプ。
（１７） 前記制振部材は前記内管の内壁面に塗布される制振塗料からなる（４）記載のデリバリパイプ。
（１８） 前記内管は前記インジェクタ側に延びる枝管を備えており、
前記ハーネスは、デリバリパイプの外部から前記内管の開放端を通って前記内管内に入り前記枝管部位で前記インジェクタ側に折れ曲り前記枝管を通って前記インジェクタまで延びている、（８）記載のデリバリパイプ。
【手続補正３】
【補正対象書類名】明細書
【補正対象項目名】０００６
【補正方法】変更
【補正の内容】
【０００６】
上記（１）〜（１８）のデリバリパイプでは、内管を備えているので（二重管構造をとっているので）、外管と内管の間での燃圧脈動を低減できる。また、内管の放射音を低減する放射音低減部材が設けられているので、放射音低減部材が設けられていない場合に比べて、内管の振動に伴う放射音による騒音を低減できる。
上記（２）のデリバリパイプでは、圧力のエネルギーがメッシュ部材を通過するときに分散される。そのため、内管からの放射音を低減できる。
上記（３）のデリバリパイプでは、圧力のエネルギーが多孔質部材を通過するときに分散される。そのため、内管からの放射音を低減できる。
上記（４）のデリバリパイプでは、制振部材により内管の振動を吸収できる。そのため、内管からの放射音を低減できる。
上記（５）のデリバリパイプでは、弾性部材により内管の振動を吸収できる。そのため、内管からの放射音を低減できる。
上記（６）のデリバリパイプでは、内管に予張力がかかるため、内外管内の燃圧に対して強度的に有利となる。また、放射音低減部材がデリバリパイプの外にはみ出すことがないため、スペース上有利である。
上記（７）のデリバリパイプでは、放射音低減部材がデリバリパイプの外にはみ出すことがないため、スペース上有利である。
上記（８）のデリバリパイプでは、内管内にハーネスを通すことにより内管内の元々あった断面積よりも小さい面積でしか外に放射音が出なくなる。そのため、内管の振動に伴う放射音による騒音を低減できる。この効果は、内管内を満たすほどハーネスを通した場合には非常に大きくなる。また、内管内をハーネスを通す空間として使用するので、デリバリパイプの周囲に従来あったハーネスの搭載スペースを最小にすることができる。